(57)【特許請求の範囲】
【請求項１】
浴室を構成する天井または側壁に設置される浴室用空調装置に取り付け可能な浴室用空調装置のシート付パネルであって、
前記浴室用空調装置のうちの前記浴室側に配置される部分を隠すことができるように前記天井または前記側壁に沿うように配置される主壁と、前記浴室側に配置される部分を隠すことができるように前記主壁の外周部から前記主壁の裏面側に立ち上がる外周壁とを備え、前記外周壁と天井または側壁との間に空気が流れる隙間が形成されるように構成されるパネルと、
前記主壁の表面から前記外周壁の表面に回り込むように少なくとも前記主壁の表面および前記外周壁の表面に貼り付けられるシートと、
前記シートが前記パネルから剥がれることを妨げるように前記パネルに取り付けられる剥離抑制部材とを備える
浴室用空調装置のシート付パネル。
【請求項２】
前記剥離抑制部材は、前記シートの縁を含むシートの外周部および前記パネルの裏面に跨るように貼り付けられるテープである
請求項１に記載の浴室用空調装置のシート付パネル。
【請求項３】
前記剥離抑制部材は、前記シートを前記外周壁に押さえ付けることができるように前記パネルに取り付けられる
請求項１に記載の浴室用空調装置のシート付パネル。
【請求項４】
前記剥離抑制部材は、前記外周壁を前記外周壁の表面および裏面から挟み込むことができるように対向する一対の対向壁、および、前記一対の対向壁を繋げる接続壁を含む
請求項３に記載の浴室用空調装置のシート付パネル。
【請求項５】
前記シートの縁を含むシートの外周部が前記主壁の裏面または前記外周壁の裏面に位置するように前記シートが前記外周壁に沿って前記外周壁の表面側から裏面側に折り曲げられている
請求項１〜４のいずれか一項に記載の浴室用空調装置のシート付パネル。
【請求項６】
前記パネルは、前記外周壁の裏面と対向するように前記主壁の裏面から立ち上がる規制部をさらに備え、
前記剥離抑制部材は、前記外周壁の裏面と前記規制部との間に嵌め込むことができるように対向する一対の対向壁、および、前記一対の対向壁を繋げる接続壁を含む
請求項３を直接的に引用する請求項５に記載の浴室用空調装置のシート付パネル。
【請求項７】
浴室を構成する天井または側壁に設置される浴室用空調装置に取り付け可能な浴室用空調装置のシート付パネルであって、
前記浴室用空調装置のうちの前記浴室側に配置される部分を隠すことができるように前記天井または前記側壁に沿うように配置される主壁と、前記浴室側に配置される部分を隠すことができるように前記主壁の外周部から前記主壁の裏面側に立ち上がる外周壁とを備え、前記外周壁と天井または側壁との間に空気が流れる隙間が形成されるように構成されるパネルと、
前記主壁の表面から前記外周壁の表面に回り込むように少なくとも前記主壁の表面および前記外周壁の表面に貼り付けられるシートとを備え、
前記シートの縁を含むシートの外周部が前記主壁の裏面または前記外周壁の裏面に位置するように前記シートが前記外周壁に沿って前記外周壁の表面側から裏面側に折り曲げられている
浴室用空調装置のシート付パネル。
【請求項８】
前記浴室用空調装置は装置本体を備え、
前記装置本体は電動ファンを内蔵するファン内蔵部を含み、
前記主壁は前記ファン内蔵部を隠すように構成される
請求項１〜７のいずれか一項に記載の浴室用空調装置のシート付パネル。
【請求項９】
前記装置本体は前記電動ファンから前記浴室に送風するための通気口、および、前記通気口を開閉するルーバーを含み、
前記主壁は前記ルーバーが配置される開口部を含む
請求項８に記載の浴室用空調装置のシート付パネル。
【請求項１０】
前記装置本体の底部は浴室に配置され、
前記外周壁は前記装置本体の底部の側面を隠すように構成される
請求項８または９に記載の浴室用空調装置のシート付パネル。
【発明の詳細な説明】
【技術分野】
【０００１】
本発明はシートが貼り付けられた浴室用空調装置のシート付パネルに関する。
【背景技術】
【０００２】
浴室の天井等に設置される浴室用空調装置が知られている。浴室用空調装置の代表的な設置の形態として、浴室用空調装置の通気口を含む部分が天井の開口から浴室に飛び出る形態、および、浴室用空調装置の全体が天井の裏側に配置される形態がある。この浴室用空調装置には、浴室用空調装置をユーザーから隠すためのパネルが取り付けられる。一例では、パネルは、浴室用空調装置のうちの通気口の周囲の部分を隠す主壁と、浴室用空調装置のうちの主壁の裏面側に位置する部分を隠すことができるように主壁の外周部から主壁の裏面側に立ち上がる外周壁とを備える。なお、特許文献１は従来のパネルの一例を開示している。
【先行技術文献】
【特許文献】
【０００３】
【特許文献１】特開２００５−１７２３２０号公報
【発明の概要】
【発明が解決しようとする課題】
【０００４】
浴室の意匠性を高めるため、浴室を構成する天井および側壁に加飾シートが貼り付けられることがある。上記パネルにも加飾シートが貼り付けられることにより、浴室の意匠性が一層高められる。この場合、意匠性の点から、パネルの主壁の表面だけでなく外周壁の表面にも加飾シートを貼り付けることが好ましい。ただし、外周壁の表面に加飾シートが貼り付けられる場合、主壁の表面だけに加飾シートが貼り付けられる場合よりもシートの縁が剥がれやすいことが確認された。これは、加飾シートをパネルに貼り付ける工程において、主壁に対して屈曲した外周壁に加飾シートをしっかり貼り付けるために加飾シートが強く引っ張られた状態で外周壁に貼り付けられることが関係していると考えられる。加飾シートが引っ張られることにより加飾シートが伸び、パネルに貼り付けられた状態における加飾シートの単位面積あたりの接着剤の量が減少し、主壁の表面だけに加飾シートが貼り付けられる場合と比較してシートの縁を含むシートの外周部の接着力が弱くなり、加飾シートがパネルから剥がれやすい状態が形成される。加飾シートがパネルから剥がれた場合には意匠性が低下するおそれがある。なお、加飾シート以外のシートがパネルに貼り付けられる場合にも上記と同様の課題が発生する可能性がある。
【課題を解決するための手段】
【０００５】
本発明に関する浴室用空調装置のシート付パネルの一形態は浴室を構成する天井または側壁に設置される浴室用空調装置に取り付け可能な浴室用空調装置のシート付パネルであって、前記浴室用空調装置のうちの前記浴室側に配置される部分を隠すことができるように前記天井または前記側壁に沿うように配置される主壁と、前記浴室側に配置される部分を隠すことができるように前記主壁の外周部から前記主壁の裏面側に立ち上がる外周壁とを備え、前記外周壁と天井または側壁との間に空気が流れる隙間が形成されるように構成されるパネルと、前記主壁の表面から前記外周壁の表面に回り込むように少なくとも前記主壁の表面および前記外周壁の表面に貼り付けられるシートと、前記シートが前記パネルから剥がれることを妨げるように前記パネルに取り付けられる剥離抑制部材とを備える。
【０００６】
本発明に関する浴室用空調装置のシート付パネルの別の一形態は浴室を構成する天井または側壁に設置される浴室用空調装置に取り付け可能な浴室用空調装置のシート付パネルであって、前記浴室用空調装置のうちの前記浴室側に配置される部分を隠すことができるように前記天井または前記側壁に沿うように配置される主壁と、前記浴室側に配置される部分を隠すことができるように前記主壁の外周部から前記主壁の裏面側に立ち上がる外周壁とを備え、前記外周壁と天井または側壁との間に空気が流れる隙間が形成されるように構成されるパネルと、前記主壁の表面から前記外周壁の表面に回り込むように少なくとも前記主壁の表面および前記外周壁の表面に貼り付けられるシートとを備え、前記シートの縁を含むシートの外周部が前記主壁の裏面または前記外周壁の裏面に位置するように前記シートが前記外周壁に沿って前記外周壁の表面側から裏面側に折り曲げられている。
【発明の効果】
【０００７】
上記浴室用空調装置のシート付パネルによれば、意匠性が低下しにくい。
【図面の簡単な説明】
【０００８】
【図１】実施の形態１の浴室ユニットの透視図である。
【図２】図１の浴室用空調装置およびシート付きパネルの斜視図である。
【図３】図２のシート付パネルの裏面側の構成を示す平面図である。
【図４】図３のパネルの取付部の斜視図である。
【図５】図３のＤ５−Ｄ５線に沿う断面図である。
【図６】実施の形態２のシート付パネルの断面図である。
【図７】実施の形態３のシート付パネルの断面図である。
【図８】実施の形態４のシート付パネルの断面図である。
【発明を実施するための形態】
【０００９】
（浴室用空調装置のシート付パネルが取り得る形態の一例）
〔１〕本発明に関する浴室用空調装置（２０）のシート付パネル（３０）の一形態は、浴室（Ｂ）を構成する天井（１３）または側壁（１２）に設置される浴室用空調装置（２０）に取り付け可能な浴室用空調装置（２０）のシート付パネル（３０）であって、前記浴室用空調装置（２０）のうちの前記浴室（Ｂ）側に配置される部分を隠すことができるように前記天井（１３）または前記側壁（１２）に沿うように配置される主壁（４１）と、前記浴室（Ｂ）側に配置される部分を隠すことができるように前記主壁（４１）の外周部から前記主壁（４１）の裏面（４１Ｂ）側に立ち上がる外周壁（４２）とを備えるパネル（４０）と、前記主壁（４１）の表面（４１Ａ）から前記外周壁（４２）の表面（４２Ａ）に回り込むように少なくとも前記主壁（４１）の表面（４１Ａ）および前記外周壁（４２）の表面（４２Ａ）に貼り付けられるシート（５０）と、前記シート（５０）が前記パネル（４０）から剥がれることを妨げるように前記パネル（４０）に取り付けられる剥離抑制部材（７０、８０、９０）とを備える。
上記シート付パネルによれば、シートが剥がれにくい。このため、意匠性が低下しにくい。
【００１０】
〔２〕前記浴室用空調装置（２０）のシート付パネル（３０）の一例によれば、前記剥離抑制部材（７０）は、前記シート（５０）の縁（５１Ａ）を含むシート（５０）の外周部（５１）および前記パネル（４０）の裏面に跨るように貼り付けられるテープである。
上記シート付パネルによれば、外周壁に凹凸が設けられる場合であっても剥離抑制部材をパネルに沿って綺麗に貼り付けることができる。このため、シートがパネルから剥がれにくい。
【００１１】
〔３〕前記浴室用空調装置（２０）のシート付パネル（３０）の一例によれば、前記剥離抑制部材（８０、９０）は、前記シート（５０）を前記外周壁（４２）に押さえ付けることができるように前記パネル（４０）に取り付けられる。
上記シート付パネルによれば、浴室に発生する水蒸気の影響により剥離抑制部材の機能が低下するおそれがない。
【００１２】
〔４〕前記浴室用空調装置（２０）のシート付パネル（３０）の一例によれば、前記剥離抑制部材（８０）は、前記外周壁（４２）を前記外周壁（４２）の表面（４２Ａ）および裏面（４２Ｂ）から挟み込むことができるように対向する一対の対向壁（８１）、および、前記一対の対向壁（８１）を繋げる接続壁（８２）を含む。
上記シート付パネルによれば、剥離抑制部材をパネルに取り付ける作業を容易に実施できる。
【００１３】
〔５〕前記浴室用空調装置（２０）のシート付パネル（３０）の一例によれば、前記シート（５０）の縁（５１Ａ）を含むシート（５０）の外周部（５１）が前記主壁（４１）の裏面（４１Ｂ）または前記外周壁（４２）の裏面（４２Ｂ）に位置するように前記シート（５０）が前記外周壁（４２）に沿って前記外周壁（４２）の表面（４２Ａ）側から裏面（４２Ｂ）側に折り曲げられている。
上記シート付パネルによれば、シートの縁がユーザーに視認されない。このため、意匠性がより高められる。
【００１４】
〔６〕前記浴室用空調装置（２０）のシート付パネル（３０）の一例によれば、前記パネル（４０）は、前記外周壁（４２）の裏面（４２Ｂ）と対向するように前記主壁（４１）の裏面（４１Ｂ）から立ち上がる規制部（４４）をさらに備え、前記剥離抑制部材（９０）は、前記外周壁（４２）の裏面（４２Ｂ）と前記規制部（４４）との間に嵌め込むことができるように対向する一対の対向壁（９１）、および、前記一対の対向壁（９１）を繋げる接続壁（９２）を含む。
上記シート付パネルによれば、剥離抑制部材をパネルに取り付ける作業を容易に実施できる。
【００１５】
〔７〕本発明に関する浴室用空調装置（２０）のシート付パネル（３０）の別の一形態は、浴室（Ｂ）を構成する天井（１３）または側壁（１２）に設置される浴室用空調装置（２０）に取り付け可能な浴室用空調装置（２０）のシート付パネル（３０）であって、前記浴室用空調装置（２０）のうちの前記浴室（Ｂ）側に配置される部分を隠すことができるように前記天井（１３）または前記側壁（１２）に沿うように配置される主壁（４１）と、前記浴室（Ｂ）側に配置される部分を隠すことができるように前記主壁（４１）の外周部から前記主壁（４１）の裏面（４１Ｂ）側に立ち上がる外周壁（４２）とを備えるパネル（４０）と、前記主壁（４１）の表面（４１Ａ）から前記外周壁（４２）の表面（４２Ａ）に回り込むように少なくとも前記主壁（４１）の表面（４１Ａ）および前記外周壁（４２）の表面（４２Ａ）に貼り付けられるシート（５０）とを備え、前記シート（５０）の縁（５１Ａ）を含むシート（５０）の外周部（５１）が前記主壁（４１）の裏面（４１Ｂ）または前記外周壁（４２）の裏面（４２Ｂ）に位置するように前記シート（５０）が前記外周壁（４２）に沿って前記外周壁（４２）の表面（４２Ａ）側から裏面（４２Ｂ）側に折り曲げられている。
上記シート付パネルによれば、シートの縁がパネルから剥がれたとしても、シートのうちのパネルから剥がれた部分が外周壁の表面に到達するまでに時間を要する。このため、意匠性が低下しにくい。
【００１６】
（実施の形態１）
図１は、浴室用空調装置２０およびシート付パネル３０を含む浴室ユニット１０の一例を示している。浴室ユニット１０は床面１１、複数の側壁１２、天井１３、浴槽１５、浴室用空調装置２０、および、シート付パネル３０を備えている。浴室ユニット１０内には浴室Ｂが形成されている。浴室Ｂは床面１１、複数の側壁１２、および、天井１３により囲まれた空間である。１枚の側壁１２の表面および天井１３の表面には、浴室Ｂの意匠性を高めるための加飾シート１４が貼り付けられている。加飾シート１４に印刷された柄の一例は木目である。
【００１７】
天井１３には、浴室用空調装置２０が設けられる開口１３Ａが形成されている。浴室用空調装置２０は大半の部分が天井１３の裏側に配置され、一部が開口１３Ａから浴室Ｂに飛び出るように天井１３に設置されている。浴室用空調装置２０に搭載される機能は換気、乾燥、および、暖房である。
【００１８】
シート付パネル３０は、浴室用空調装置２０をユーザーから隠すことができるように浴室用空調装置２０に取り付けられている。シート付パネル３０を構成するパネル４０（図２参照）の表面にも加飾シート１４と同様の柄が印刷された加飾シート５０が貼り付けられている。加飾シート１４、５０を構成する材料の一例はポリ塩化ビニルである。
【００１９】
図２は浴室用空調装置２０およびシート付パネル３０の斜視図である。図２では、シート付パネル３０に貼り付けられた加飾シート５０の半分を省略している。図２の二点鎖線Ｌ１は加飾シート５０が記載された部分と省略された部分との境界である。
【００２０】
浴室用空調装置２０は、電動ファン２２等を内蔵する装置本体２１、浴室Ｂ（図１参照）に送風するための通気口２３、および、通気口２３を開閉するルーバー２４を備えている。電動ファン２２は例えば天井１３（図１参照）とシート付パネル３０との間に形成されている隙間Ｓから浴室Ｂの空気を取り入れ、通気口２３を介して浴室Ｂに送風する。通気口２３およびルーバー２４は、装置本体２１の底部２１Ａに設けられている。ルーバー２４の表面には加飾シート５０が貼り付けられていない。浴室用空調装置２０のうち、装置本体２１の底部２１Ａが浴室Ｂに配置されている。
【００２１】
シート付パネル３０はパネル４０および加飾シート５０を備えている。パネル４０を構成する材料の一例はポリプロピレン樹脂である。パネル４０は主壁４１および外周壁４２（図４参照）を備えている。主壁４１は、天井１３から浴室Ｂ側に離れた位置に配置され、浴室用空調装置２０の底部２１Ａのうちの通気口２３の周囲の部分２１Ｂを隠す。
【００２２】
図３は、図２に示されるように加飾シート５０の半分が省略された状態のシート付パネル３０の裏面側の平面図である。図３の二点鎖線Ｌ２は加飾シート５０が記載された部分と省略された部分との境界である。外周壁４２は主壁４１の裏面４１Ｂの外周部に沿って設けられている。
【００２３】
図４は加飾シート５０が貼り付けられる前のパネル４０の裏面側の構成を示している。外周壁４２は、浴室用空調装置２０のうちの主壁４１の裏面４１Ｂ側に位置する部分である底部２１Ａの側面２１Ｃ（図１および図２参照）を隠すことができるように主壁４１の外周部から主壁４１の裏面４１Ｂ側に立ち上がる。図１に示されるように天井１３と主壁４１との間に隙間Ｓが形成されているが、外周壁４２がパネル４０に設けられていることにより、装置本体２１の底部２１Ａの側面２１Ｃが隙間Ｓから視認されにくい。
【００２４】
図３に示されるように、シート付パネル３０は複数の取付部４３をさらに備えている。４つの取付部４３がパネル４０の四隅のそれぞれに設けられている。２つの取付部４３がパネル４０の中間部の各側部のそれぞれに設けられている。図４に示されるとおり、取付部４３は主壁４１の裏面から立ち上がる壁である。各取付部４３が浴室用空調装置２０に設けられている被取付部（図示略）に取り付けられることにより、シート付パネル３０が図１に示されるように浴室用空調装置２０に取り付けられる。
【００２５】
図５に示されるように、加飾シート５０は主壁４１の表面４１Ａ、外周壁４２の表面４２Ａ、および、外周壁４２の裏面４２Ｂに貼り付けられている。具体的には、加飾シート５０は主壁４１の表面４１Ａ側から外周壁４２の表面４２Ａ側に回り込むように主壁４１の表面４１Ａおよび外周壁４２の表面４２Ａに貼り付けられている。さらに、加飾シート５０の縁５１Ａを含む加飾シート５０の外周部５１が外周壁４２の裏面４２Ｂ側に位置するように加飾シート５０が外周壁４２に沿って外周壁４２の表面４２Ａ側から裏面４２Ｂ側に折り曲げられている。主壁４１の表面４１Ａおよび外周壁４２の表面４２Ａに加飾シート５０が貼り付けられていることにより、パネル４０の意匠性が高められている。また、加飾シート５０の外周部５１がユーザーに視認されないため、パネル４０の意匠性がより高められる。
【００２６】
主壁４１の表面４１Ａおよび外周壁４２の表面４２Ａと加飾シート５０との間には接着プライマ層６０が形成されている。接着プライマ層６０は加飾シート５０をパネル４０に貼り付ける工程において、パネル４０と加飾シート５０との接着力を高めるために形成される。
【００２７】
シート付パネル３０は剥離抑制部材７０をさらに備えている。剥離抑制部材７０は加飾シート５０がパネル４０から剥がれることを妨げるように、加飾シート５０の外周部５１および外周壁４２の裏面４２Ｂに跨るようにパネル４０および加飾シート５０に貼り付けられたテープである。一例では、外周壁４２の全周にわたり剥離抑制部材７０が設けられている（図３参照）。
【００２８】
シート付パネル３０によれば、剥離抑制部材７０がパネル４０に取り付けられるため、加飾シート５０が剥がれにくい。このため、シート付パネル３０の意匠性が低下しにくい。また、シート付パネル３０によれば、外周壁４２に凹凸が設けられる場合であっても剥離抑制部材７０をパネル４０に沿って綺麗に貼り付けることができる。このため、加飾シートがパネル４０から剥がれにくい。
【００２９】
図５を参照して、シート付パネル３０の製造方法について説明する。
第１の工程では、パネル４０の主壁４１の表面４１Ａおよび外周壁４２の表面４２Ａに接着プライマ層６０が形成される。第２の工程では、加飾シート５０の裏面の全体に接着剤が塗布される。なお、第１の工程および第２の工程の順序は入れ替え可能である。また、第１の工程および第２の工程を平行して実施することもできる。
【００３０】
第３の工程では、接着剤が塗布された加飾シート５０が主壁４１の表面４１Ａに貼り付けられる。第４の工程では、加飾シート５０のうちのパネル４０に貼り付けられていない部分が主壁４１の表面４１Ａ側から外周壁４２の表面４２Ａ側に回り込むように引き回され、外周壁４２の表面４２Ａに貼り付けられる。このとき、主壁４１に対して屈曲した外周壁４２に加飾シート５０がしっかり貼り付けられるように、加飾シート５０が強く引っ張られる。第５の工程では、加飾シート５０のうちのパネル４０に貼り付けられていない部分が外周壁４２の表面４２Ａ側から外周壁４２の裏面４２Ｂ側に回り込むように引き回され、外周壁４２の裏面４２Ｂに貼り付けられる。このとき、外周壁４２の裏面４２Ｂに加飾シート５０がしっかり貼り付けられるように、加飾シート５０が強く引っ張られる。第６の工程では、加飾シート５０の外周部５１および外周壁４２の裏面４２Ｂに跨るように剥離抑制部材７０が貼り付けられる。第７の工程では、加飾シート５０のうちのパネル４０の開口４０Ａに対応する部分が切り取られる。これらの工程を経て製造されたシート付パネル３０が浴室用空調装置２０に取り付けられる。
【００３１】
（実施の形態２）
図６は実施の形態２のシート付パネル３０の断面である。実施の形態２のシート付パネル３０の構成は以下に説明する点において実施の形態１のシート付パネル３０と相違し、その他の点において実施の形態１のシート付パネル３０と共通している。なお、以下の説明では、実施の形態１および２に共通する構成に対して同一の符号を用いている。
【００３２】
実施の形態２のシート付パネル３０は、実施の形態１の剥離抑制部材７０（図５参照）に代えて、図６に示される剥離抑制部材８０を備えている。剥離抑制部材８０を構成する材料は透明な樹脂材料である。剥離抑制部材８０は加飾シート５０がパネル４０から剥がれることを妨げるように外周壁４２に取り付けられる成型品であり、一対の対向壁８１および接続壁８２を含む。一対の対向壁８１は、剥離抑制部材８０が外周壁４２に取り付けられていない状態において、外周壁４２を外周壁４２の表面４２Ａ側および裏面４２Ｂ側から挟み込むことができるように対向している。接続壁８２は一対の対向壁８１を繋げている。
【００３３】
実施の形態２のシート付パネル３０では、一対の対向壁８１の間が押し広げられるように剥離抑制部材８０が外周壁４２に取り付けられている。このため、対向壁８１の復元力により加飾シート５０が外周壁４２に押さえ付けられ、加飾シート５０が外周壁４２から一層剥がれにくい。また、浴室Ｂに発生する水蒸気の影響により剥離抑制部材８０の機能が低下するおそれがない。
【００３４】
（実施の形態３）
図７は実施の形態３のシート付パネル３０の断面である。実施の形態３のシート付パネル３０の構成は以下に説明する点において実施の形態１のシート付パネル３０と相違し、その他の点において実施の形態１のシート付パネル３０と共通している。なお、以下の説明では、実施の形態１および３に共通する構成に対して同一の符号を用いている。
【００３５】
実施の形態３のシート付パネル３０は、実施の形態１の剥離抑制部材７０（図５参照）に代えて、図７に示される剥離抑制部材９０を備えている。実施の形態３のパネル４０は主壁４１の裏面４１Ｂから立ち上がる規制部４４をさらに備えている。規制部４４は、剥離抑制部材９０がパネル４０に取り付けられていない状態において外周壁４２の裏面４２Ｂと対向する規制面４４Ａ有し、外周壁４２の裏面４２Ｂから一定の距離を隔てた位置に設けられている。
【００３６】
剥離抑制部材９０は一対の対向壁９１および接続壁９２を含む。一対の対向壁９１は、外周壁４２の裏面４２Ｂと規制部４４の規制面４４Ａとの間に嵌め込むことができるように対向している。接続壁９２は、一対の対向壁９１を繋げている。
【００３７】
実施の形態３のシート付パネル３０では、一対の対向壁９１の間が狭められるように剥離抑制部材９０が外周壁４２の裏面と規制部４４の規制面４４Ａとの間に嵌め込まれている。このため、対向壁９１の復元力により加飾シート５０が外周壁４２に押さえ付けられ、加飾シート５０が外周壁４２から一層剥がれにくい。また、浴室Ｂに発生する水蒸気の影響により剥離抑制部材９０の機能が低下するおそれがない。
【００３８】
（実施の形態４）
図８は実施の形態４のシート付パネル３０の断面である。実施の形態４のシート付パネル３０の構成は以下に説明する点において実施の形態１のシート付パネル３０と相違し、その他の点において実施の形態１のシート付パネル３０と共通している。なお、以下の説明では、実施の形態１および４に共通する構成に対して同一の符号を用いている。
【００３９】
実施の形態４のシート付パネル３０には、剥離抑制部材７０（図５参照）が設けられていない。加飾シート５０の縁５１Ａが主壁４１の裏面４１Ｂと外周壁４２の裏面４２Ｂとの境界付近に位置するように加飾シート５０がパネル４０に貼り付けられている。
【００４０】
このシート付パネル３０によれば、加飾シート５０の縁５１Ａがパネル４０から剥がれたとしても、加飾シート５０のうちのパネル４０から剥がれた部分が外周壁４２の表面４２Ａに到達するまでに時間を要する。このため、意匠性が低下しにくい。
【００４１】
（変形例）
上記各実施の形態に関する説明は本発明に従う浴室用空調装置のシート付パネルが取り得る形態の例示であり、その形態を制限することを意図していない。本発明に従う浴室用空調装置のシート付パネルは上記各実施の形態以外に例えば以下に示される各実施の形態の変形例、および、相互に矛盾しない少なくとも２つの変形例が組み合わせられた形態を取り得る。
【００４２】
・実施の形態２では、シート付パネル３０の意匠性が低下しないように剥離抑制部材８０を透明な樹脂材料で形成しているが、意匠性の低下を抑制するための構成は任意に変更可能である。一例では、剥離抑制部材８０の表面に加飾シート５０の柄と同じ柄が印刷される。この場合、剥離抑制部材８０を構成する材料が透明な樹脂材料以外の材料であっても、意匠性の低下が抑制される。
【００４３】
・パネル４０に加飾シート５０以外のシートを貼り付けることもできる。その一例として、表面に柄が印刷されていないシートが挙げられる。このシートがパネル４０から剥がれる場合にも加飾シート５０がパネル４０から剥がれる場合と同様に意匠性が低下するおそれがある。実施の形態１〜３のパネル４０に上記シートが貼り付けられる場合、そのシートがパネル４０から剥がれることが剥離抑制部材７０、８０、９０により妨げられる。このため、意匠性が低下しにくい。また、実施の形態４の加飾シート５０と同様に上記シートがパネル４０に貼り付けられる場合、実施の形態４と同様の効果が得られる。
【００４４】
・パネル４０上における加飾シート５０の縁５１Ａの位置は任意に変更可能である。第１の例では、加飾シート５０の縁５１Ａが主壁４１の裏面４１Ｂに位置する。この変形例は実施の形態１〜４に適用できる。第２の例では、加飾シート５０の縁５１Ａが外周壁４２の頂部に位置する。この変形例は実施の形態１および２に適用できる。
【００４５】
・シート付パネル３０は、換気、乾燥、および、暖房のうちの１つまたは２つの機能を搭載していない浴室用空調装置に対しても取り付け可能である。
・浴室ユニット１０における浴室用空調装置２０の設置形態は任意に変更可能である。第１の例では、浴室用空調装置２０の全体が天井１３の裏側に位置するように浴室用空調装置２０が設置される。第２の例では、浴室用空調装置２０の全体が側壁１２の裏側に位置するように浴室用空調装置２０が設置される。第３の例では、浴室用空調装置２０の底部２１Ａが側壁１２に設けられた開口から浴室Ｂに飛び出るように浴室用空調装置２０が設置される。
【符号の説明】
【００４６】
１２…側壁、１３…天井、２０…浴室用空調装置、３０…シート付パネル、４０…パネル、４１…主壁、４１Ａ…表面、４１Ｂ…裏面、４２…外周壁、４２Ａ…表面、４２Ｂ…裏面、４４…規制部、５０…加飾シート（シート）、５１…外周部、５１Ａ…縁、７０…剥離抑制部材、８０…剥離抑制部材、８１…対向壁、８２…接続壁、９０…剥離抑制部材、９１…対向壁、９２…接続壁、Ｂ…浴室。
【図１】
0006761954.tif 000002
【図２】
0006761954.tif 000003
【図３】
0006761954.tif 000004
【図４】
0006761954.tif 000005
【図５】
0006761954.tif 000006
【図６】
0006761954.tif 000007
【図７】
0006761954.tif 000008
【図８】
0006761954.tif 000009